Podtech/llm-jp-corpus-v4-ja_patent huggingface dataset:
【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
（Ａ）ポリアミド樹脂、（Ｂ）ガラス繊維からなり、（Ａ）および（Ｂ）の量をそれぞれＡ重量部、Ｂ重量部とした時、Ａ＋Ｂ＝１００重量部、４０≦Ａ≦９０重量部、１０≦Ｂ≦６０重量部を溶融混練してなるガラス繊維強化ポリアミド樹脂組成物であって、該組成物中のガラス繊維表面にグラフト化ポリアミド樹脂層が存在し、該グラフト化ポリアミド樹脂層の量がガラス繊維１００重量部当たり０．１〜２重量部であり、該グラフト化ポリアミド樹脂層中のポリアミド樹脂の割合が該グラフト化ポリアミド樹脂層の２０〜１００重量％であり、かつ、グラフト化ポリアミド樹脂層のガラス繊維表面の被覆率が６０〜１００％であるガラス繊維強化ポリアミド樹脂組成物。
【請求項２】
（Ａ）ポリアミド樹脂が、ポリアミド６６、ポリアミド４６、ポリアミド６１２、ポリアミド６１０、ポリアミド６、ポリアミド１１、ポリアミド１２、ポリメタキシレンアジパミド、ポリヘキサメチレンテレフタラミド、ポリヘキサメチレンイソフタラミドおよび、これらの共重合体やブレンド物である請求項１記載のガラス繊維強化ポリアミド樹脂組成物。
【手続補正２】
【補正対象書類名】明細書
【補正対象項目名】０００８
【補正方法】変更
【補正の内容】
【０００８】
すなわち、本発明は、
［１］  （Ａ）ポリアミド樹脂、（Ｂ）ガラス繊維からなり、（Ａ）および（Ｂ）の量をそれぞれＡ重量部、Ｂ重量部とした時、Ａ＋Ｂ＝１００重量部、４０≦Ａ≦９０重量部、１０≦Ｂ≦６０重量部を溶融混練してなるガラス繊維強化ポリアミド樹脂組成物であって、該組成物中のガラス繊維表面にグラフト化ポリアミド樹脂層が存在し、該グラフト化ポリアミド樹脂層の量がガラス繊維１００重量部当たり０．１〜２重量部であり、該グラフト化ポリアミド樹脂層中のポリアミド樹脂の割合が該グラフト化ポリアミド樹脂層の２０〜１００重量％であり、かつ、グラフト化ポリアミド樹脂層のガラス繊維表面の被覆率が６０〜１００％であるガラス繊維強化ポリアミド樹脂組成物、
［２］  （Ａ）ポリアミド樹脂が、ポリアミド６６、ポリアミド４６、ポリアミド６１２、ポリアミド６１０、ポリアミド６、ポリアミド１１、ポリアミド１２、ポリメタキシレンアジパミド、ポリヘキサメチレンテレフタラミド、ポリヘキサメチレンイソフタラミドおよび、これらの共重合体やブレンド物である［１］記載のガラス繊維強化ポリアミド樹脂組成物、
である。
【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
（Ａ）一般式（１）で表される構造単位を主成分とするポリマー、（Ｂ）テトラアリルホウ素化合物および／またはそのアミン塩、（Ｃ）露光波長に吸収を有した色素を含有することを特徴とする感光性ポリイミド前駆体組成物。
【化１】
1999228821.tif 000001
（Ｒ１は少なくとも２個以上の炭素原子を有する３価または４価の有機基、Ｒ２は、少なくとも２個以上の炭素原子を有する２価の有機基、Ｒ３は、−ＯＲ４、−ＮＨＲ４または−Ｏ−Ｎ＋Ｒ４Ｒ５Ｒ６Ｒ７、ただし、Ｒ４は少なくとも１種のエチレン性不飽和結合を有する基、Ｒ５、Ｒ６、Ｒ７は、水素または炭素数１から１０までの炭化水素基を表す。ｎは１または２である。）
【手続補正２】
【補正対象書類名】明細書
【補正対象項目名】０００９
【補正方法】変更
【補正の内容】
【０００９】
【化２】
1999228821.tif 000002
（Ｒ１は少なくとも２個以上の炭素原子を有する３価または４価の有機基、Ｒ２は、少なくとも２個以上の炭素原子を有する２価の有機基、Ｒ３は、−ＯＲ４、−ＮＨＲ４または−Ｏ−Ｎ＋Ｒ４Ｒ５Ｒ６Ｒ７、ただし、Ｒ４は少なくとも１種のエチレン性不飽和結合を有する基、Ｒ５、Ｒ６、Ｒ７は、水素または炭素数１から１０までの炭化水素基を表す。ｎは１または２である。）
【手続補正３】
【補正対象書類名】明細書
【補正対象項目名】００１３
【補正方法】変更
【補正の内容】
【００１３】
Ｒ３は、−ＯＲ４、−ＮＨＲ４または−Ｏ−Ｎ＋Ｒ４Ｒ５Ｒ６Ｒ７、ただし、Ｒ４は少なくとも１種のエチレン性不飽和結合を有する基、Ｒ５、Ｒ６、Ｒ７は、水素または炭素数１から１０までの炭化水素基を表している。
【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】  識別情報の組合せを表示手段に変動表示させ、この識別情報が特定の組合せとなって停止すると遊戯上の当選となるように構成した遊戯装置において、
仮想３次元空間に前記識別情報を連続的に複数配列させたオブジェクトを所定の視点から見た場合の映像を前記表示手段に出力する投影出力処理を行う画像処理手段と、
前記オブジェクトに属する識別情報が連結状態になっていることが遊戯者にわかるようにオブジェクトと視点との位置関係及び視野の設定を行うカメラ設定手段と、
を備える遊戯装置。
【請求項２】  前記オブジェクトは複数の識別情報を無端状に連結した形態からなる請求項１記載の遊戯装置。
【請求項３】  前記オブジェクトと視点との位置関係及び視野の設定は、前記オブジェクトのほぼ全体が視野に入るように前記オブジェクトと視点との位置関係及び視野を設定することである、
請求項１又は２記載の遊戯装置。
【請求項４】  前記オブジェクトと視点との位置関係及び視野の設定は、前記オブジェクトに属する識別情報のうち、遊戯者側にある識別情報と、遊戯者と反対側にある識別情報とを、同時に表示できるように前記オブジェクトと視点との位置関係及び視野を設定することである、
請求項１又は２記載の遊戯装置。
【請求項５】  前記オブジェクトと視点との位置関係及び視野の設定は、予め定められた複数の位置関係情報及び視野情報の中から選択されて行われる、
請求項１乃至４のいずれか一項記載の遊戯装置。
【請求項６】  遊戯の進行を監視する監視手段を備え、
前記オブジェクトと視点との位置関係及び視野の設定は、前記監視手段による監視結果に基づいて行われる、
請求項１乃至５のいずれか一項記載の遊戯装置。
【請求項７】  前記カメラ設定手段は、ある特定の組合せの識別情報が前記表示手段に表示されたときに、前記オブジェクトと視点との位置関係及び視野の設定を行うものである、
請求項１乃至６のいずれか一項記載の遊戯装置。
【請求項８】  前記オブジェクトを複数備え、
各オブジェクトに属する識別情報は所定範囲内において移動し、
前記カメラ設定手段は、前記各オブジェクトのうち１部を除いた残りのオブジェクトに属する識別情報が停止した場合に、識別情報が移動中の前記１部のオブジェクトに対して前記オブジェクトと視点との位置関係及び視野の設定をするものである、
請求項１乃至７のいずれか一項記載の遊戯装置。
【請求項９】  前記オブジェクトを複数備え、
各オブジェクトに属する識別情報は所定範囲内において移動し、
前記カメラ設定手段は、前記各オブジェクトのうち１部を除いた残りのオブジェクトの識別情報が停止した場合であって、前記１部のオブジェクトに属し且つ移動中の識別情報が停止すると遊戯上の当選となる可能性がある場合に、識別情報が移動中の前記１部のオブジェクトに対して前記オブジェクトと視点との位置関係及び視野の設定をするものである、
請求項１乃至７のいずれか一項記載の遊戯装置。
【請求項１０】  前記画像処理手段は、前記オブジェクトと同数の表示窓を前記表示手段に出力し、各表示窓において各オブジェクトに属する識別情報を順次出力する表示窓出力処理を行い、所定の場合に前記投影出力処理を行うものである、
請求項１乃至７のいずれか一項記載の遊戯装置。
【請求項１１】  前記所定の場合は、前記表示窓出力処理において、各表示窓のうち１部を除いた残りの表示窓における表示の変化が停止した場合であって、
前記投影出力処理は、識別情報が移動中の前記１部のオブジェクトに対して行う、
請求項１０記載の遊戯装置。
【請求項１２】  前記オブジェクトと視点との位置関係及び視野の設定は、遊戯者からの入力に基いて行われる、
請求項１乃至５のいずれか一項記載の遊戯装置。
【請求項１３】  識別情報の組合せを表示手段に変動表示させ、この識別情報が特定の組合せとなって停止すると遊戯上の当選となるように構成した遊戯装置において、
遊戯上の当選を予め決定する抽選手段と、
仮想３次元空間に前記識別情報を連続的に複数配列させたオブジェクトを所定の視点から見た場合の映像を前記表示手段に出力する画像処理手段と、
前記抽選手段による抽選結果が、遊戯上の当選にあたる識別情報の組合せを表示するものであったときに、オブジェクトと視点との位置関係及び視野を変更するカメラ設定手段と、
を備える遊戯装置。
【請求項１４】  前記オブジェクトと視点との位置関係の設定は、視点の移動によって行う、
請求項１３記載の遊戯装置。
【請求項１５】  前記オブジェクトと視点との位置関係の設定は、オブジェクトの回転または移動によって行う、
請求項１３記載の遊戯装置。
【請求項１６】  識別情報の組合せを表示手段に変動表示させ、この識別情報が特定の組合せとなって停止すると遊戯上の当選となるように構成した遊戯装置において、
複数の前記識別情報のうち、遊戯上の当選に関係のある位置を通過中の識別情報の他に、遊戯上の当選に関係のある位置以外の位置を通過中の識別情報を視認可能にする非該当部分露出手段を備える、
遊戯装置。
【請求項１７】  前記非該当部分露出手段は、表示される非該当部分を隠しているものを半透明にするものである、
請求項１６記載の遊戯装置。
【請求項１８】  仮想３次元空間に識別情報を連続的に複数配列させたオブジェクトを表示手段に変動表示させ、この識別情報が特定の組合せとなって停止すると遊戯上の当選となる遊戯における画像処理方法において、
前記オブジェクトに属する識別情報が連結状態になっていることが遊戯者にわかるようにオブジェクトと視点との位置関係及び視野の設定を行うカメラ設定ステップと、
前記オブジェクトを前記視点から見た場合の映像を前記表示手段に出力する映像表示ステップと、
を備える画像処理方法。
【請求項１９】  仮想３次元空間に識別情報を連続的に複数配列させたオブジェクトを表示手段に変動表示させ、この識別情報が特定の組合せとなって停止すると遊戯上の当選となる遊戯のプログラムを記録したコンピュータ読み取り可能な記録媒体であって、
前記オブジェクトに属する識別情報が連結状態になっていることが遊戯者にわかるようにオブジェクトと視点との位置関係及び視野の設定を行う手順と、
前記オブジェクトを前記視点から見た場合の映像を前記表示手段に出力する手順と、
をコンピュータに実行させるためのプログラムを記録したコンピュータ読み取り可能な記録媒体。
【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
始動口に遊技球が入球することにより複数の図柄が変動表示される図柄変動表示器が設けられ、該図柄変動表示器が特定図柄で変動停止した場合に大当たりを発生させ可変入賞装置が繰り返し開成状態となるようにしたパチンコ遊技機において、大当たり期間中に遊技盤面上の所定領域に所定個数の遊技球が入賞または通過した場合にその大当たり期間の終了後に所定の特典が与えられるようにしたことを特徴とするパチンコ遊技機。
【請求項２】
大当たり期間中に遊技盤面上の所定領域に入賞または通過した遊技球の個数によって与えられる特典の大きさが決定されるようにした請求項１に記載のパチンコ遊技機。
【請求項３】
大当たり期間中に遊技盤面上の所定領域に所定時間内に入賞または通過した遊技球の個数によって与えられる特典の大きさが決定されるようにした請求項１に記載のパチンコ遊技機。
【請求項４】
始動口に遊技球が入球することにより複数の図柄が変動表示される図柄変動表示器が設けられ、該図柄変動表示器が特定図柄で変動停止した場合に大当たりを発生させ可変入賞装置が繰り返し開成状態となるようにしたパチンコ遊技機において、大当たり期間中に遊技盤面上の所定領域に遊技球が所定の順に入賞または通過した場合にその大当たり期間の終了後に所定の特典が与えられるようにしたことを特徴とするパチンコ遊技機。
【請求項５】
大当たり期間中に遊技盤面上の所定領域に遊技球が入賞または通過する順を複数種類設け、入賞順または通過順によってその大当たり期間の終了後に付与する特典の大きさが決定されるようにした請求項４に記載のパチンコ遊技機。
【請求項６】
大当たり期間中に遊技盤面上の所定領域に遊技球が所定の順に所定時間内に入賞または通過した場合にその大当たり期間の終了後に所定の特典が与えられるようにした請求項４に記載のパチンコ遊技機。
【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】 複数の特別図柄を表示可能な特別図柄表示部と、複数の普通図柄を表示可能な普通図柄表示部と、普通電動役物とを有しており、遊技球が所定の領域を通過あるいは所定の入賞口に入賞することにより普通図柄表示部に表示された普通図柄が変動を開始し、所定時間後に当たり表示された場合に、普通電動役物が遊技者にとって有利となるように作動するとともに、遊技球が普通電動役物に入賞することにより特別図柄表示部に表示された特別図柄が変動を開始し、所定時間後に大当たり表示された場合に、遊技者にとって有利な大当たり状態が生起する遊技機であって、
特別図柄が変動する所定時間内に普通電動役物に遊技球が入賞した場合に所定個数までその入賞個数を記憶する変動記憶部が設けられているとともに、
大当たり状態が終了した後に、普通電動役物に特定個数の遊技球が入賞するまで、普通図柄の変動時間を短縮、および／または普通電動役物が遊技者にとって有利となるように作動する時間を延長、および／または特別図柄の変動時間を短縮する特別遊技状態が生起することを特徴とする遊技機。
【請求項２】 特別遊技状態の生起期間を制限する普通電動役物への遊技球の入賞個数である特定個数が、大当たり状態の生起までに要した特別図柄の変動回数と関連付けられていることを特徴とする請求項１に記載の遊技機。
【請求項３】 特別遊技状態の生起期間を制限する普通電動役物への遊技球の入賞個数である特定個数が、大当たり表示の内容と関連付けられていることを特徴とする請求項１に記載の遊技機。
【請求項４】 特別遊技状態の生起期間を制限する普通電動役物への遊技球の入賞個数である特定個数が、大当たり状態の生起時点において変動記憶部に記憶されている入賞数と関連付けられていることを特徴とする請求項１に記載の遊技機。
【請求項５】 特別遊技状態の生起期間を制限する普通電動役物への遊技球の入賞個数である特定個数が、特別図柄の変動開始から大当たり表示に至るまでの特別図柄表示部の表示内容と関連付けられていることを特徴とする請求項１に記載の遊技機。
【請求項６】 特別遊技状態の生起期間中に、特別遊技状態の生起期間を制限する普通電動役物への遊技球の入賞個数である特定個数、および／または特別遊技状態の生起期間における普通電動役物への遊技球の入賞個数が表示されることを特徴とする請求項１〜５のいずれか記載の遊技機。
【手続補正書】
【提出日】平成17年9月5日(2005.9.5)
【手続補正１】
【補正対象書類名】明細書
【補正対象項目名】発明の名称
【補正方法】変更
【補正の内容】
【発明の名称】中空糸膜モジュール
【手続補正２】
【補正対象書類名】明細書
【補正対象項目名】特許請求の範囲
【補正方法】変更
【補正の内容】
【特許請求の範囲】
【請求項１】  柱状の本体の内部に、その長さ方向にそう中空部が設けられ、前記本体の外面に、その長さ方向にそう凹部が設けられ、この凹部の底面に、前記中空部に開口するスリットが設けられ、前記スリットに中空糸膜の繊維方向の端部を挿入し、前記凹部内にポッティング樹脂を充填することによって、前記端部が前記中空部内に位置するように、前記中空糸膜が固定された中空糸膜モジュール。
【請求項２】  前記本体は、その長さ方向に直交する断面形状がＵ字状で、側面にひとつの平面を有し、この平面に、前記凹部が設けられている請求項１記載の中空糸膜モジュール。
【請求項３】  前記中空部は、その長さ方向に直交する断面形状が円形である請求項１または２に記載の中空糸膜モジュール。
【請求項４】  前記凹部の内壁から突出する突起を備えている、請求項１〜３のいずれか一項に記載の中空糸膜モジュール。
【手続補正３】
【補正対象書類名】明細書
【補正対象項目名】０００１
【補正方法】変更
【補正の内容】
【０００１】
【発明の属する技術分野】
本発明は、特定の中空糸膜モジュール用ハウジング（以下、ハウジングと略記する）を有する中空糸膜モジュールに関し、特に耐圧性を向上させ、有機物の汚濁物質などによる汚濁性の高い液体をろ過するのに適したものである。
【手続補正４】
【補正対象書類名】明細書
【補正対象項目名】００１２
【補正方法】変更
【補正の内容】
【００１２】
本発明は前記事情に鑑みてなされたもので、中空糸膜の固定強度を向上させることができるハウジングを有する中空糸膜モジュールを提供することを課題とする。
さらには中空糸膜の内側からの圧力に対する耐圧性を向上させたハウジングを有する中空糸膜モジュールを提供することを目的とする。
また、複数の中空糸膜モジュールからなるユニットを形成した際に、単位体積あたりの積層率を高くすることができるハウジングを有する中空糸膜モジュールを提供することを課題とする。
さらに、ハウジングの大きさなどの設計条件が、できるだけ制限されないハウジングを有する中空糸膜モジュールを提供することを課題とする。
【手続補正５】
【補正対象書類名】明細書
【補正対象項目名】００３６
【補正方法】変更
【補正の内容】
【００３６】
【発明の効果】
以上説明したように本発明におけるハウジングは、ポッティング樹脂を充填する凹部の側壁を、本体と一体に成形することができるため、これを用いた中空糸膜モジュールにおいては、その逆洗浄などの際に、中空糸膜の内側からポッティング樹脂を介して前記側壁に力が加わっても、十分に耐え得る強度（耐圧性）が得られる。
このため、本発明の中空糸膜モジュールは、特に、洗浄時などに中空糸膜の内側から大きな圧力がかかりやすい汚濁性の高い液体のろ過に好適である。
また、ハウジングの本体の断面形状をＵ字状とし、その側面の平面に凹部を形成することにより、中空糸膜モジュールの設置に必要なスペースを小さくすることができる。そして、中空糸膜モジュールを複数並列させてユニットを形成する際に、集積効率を向上させることができる。このため、ユニットの大きさの制限を受ける様な場所でのろ過処理に好適である。
さらに、前記本体内部の中空部の断面形状を円形とすることにより、中空部内部にかかる圧力を均一に分散させて、さらにハウジングと中空糸膜モジュールの強度を向上させることができる。
また、ハウジングの凹部の内壁に突起を設けることにより、ハウジングと中空糸膜モジュールの強度をさらに向上させることができる。
また、前記凹部の深さを１〜５０ｍｍ、中空糸膜を挿入する前記スリットの幅を０．３〜５ｍｍに設定することにより、さらに中空糸膜をハウジングに安定に固定することができる。
【手続補正書】
【提出日】平成17年9月7日(2005.9.7)
【手続補正１】
【補正対象書類名】明細書
【補正対象項目名】発明の名称
【補正方法】変更
【補正の内容】
【発明の名称】膜分離装置及び膜分離方法
【手続補正２】
【補正対象書類名】明細書
【補正対象項目名】特許請求の範囲
【補正方法】変更
【補正の内容】
【特許請求の範囲】
【請求項１】  分離膜の膜面が鉛直方向になるように配設された平型の膜モジュールと、前記分離膜の下方に設けられて気体を散気し、該気体により生起される気液混合流により前記分離膜の膜面洗浄を行うための散気装置と、該散気装置より散気される気体を分離膜の膜面に導くための遮閉壁とを備えて処理槽内に設置される膜分離装置であって、前記膜モジュールは分離膜の両端に膜固定部材を備えてなり、かつ膜分離装置の上方から見て、前記分離膜が該分離膜の膜面と平行に配設された一対の遮閉壁の内側に位置するように設けられている膜分離装置。
【請求項２】  膜固定部材の側面積の占める割合が、膜モジュール集合体の側面積に対して、３０〜１００％であることを特徴とする、請求項１記載の膜分離装置。
【請求項３】  請求項１または２記載の膜分離装置を用いて、散気装置からの気体の吐出量を膜モジュール集合体の水平方向断面積あたり１０〜１５０Ｎｍ３／ｍ２／ｈｒとする、膜分離方法。
【請求項４】  請求項１または２記載の膜分離装置を用いて、膜モジュールにおける、散気装置からの気体により生起される気液混合流の鉛直方向の平均移動流速を０．０１〜１．５ｍ／ｓｅｃとする、膜分離方法。
【請求項５】  請求項１または２記載の膜分離装置を用いて、膜モジュールにおける、散気装置からの気体により生起される気液混合流の水平方向の平均移動流速を０．０１〜１．５ｍ／ｓｅｃとする、膜分離方法。
【手続補正３】
【補正対象書類名】明細書
【補正対象項目名】０００１
【補正方法】変更
【補正の内容】
【０００１】
【発明の属する技術分野】
本発明は、水処理にて、固液分離を行う膜分離装置、及びこれを用いた膜分離方法に関するものである。
【手続補正４】
【補正対象書類名】明細書
【補正対象項目名】０００６
【補正方法】変更
【補正の内容】
【０００６】
【発明が解決しようとする課題】
本発明は、前述した不都合を解決するためになされたものであり、長期にわたる濾過を行っても懸濁物による膜面の閉塞が少ない膜分離装置、及びこれを用いた膜分離方法を提供することを目的とする。
【手続補正５】
【補正対象書類名】明細書
【補正対象項目名】０００７
【補正方法】変更
【補正の内容】
【０００７】
【課題を解決するための手段】
本発明の膜分離装置は、分離膜の膜面が鉛直方向になるように配設された平型の膜モジュールと、前記分離膜の下方に設けられて気体を散気し、該気体により生起される気液混合流により前記分離膜の膜面洗浄を行うための散気装置と、該散気装置より散気される気体を分離膜の膜面に導くための遮閉壁とを備えて処理槽内に設置される膜分離装置であって、前記膜モジュールは分離膜の両端に膜固定部材を備えてなり、かつ膜分離装置の上方から見て、前記分離膜が該分離膜の膜面と平行に配設された一対の遮閉壁の内側に位置するように設けられている膜分離装置である。
該膜分離装置においては、膜固定部材の側面積の占める割合が膜モジュールの集合体の側面積に対して３０〜１００％であることが好ましい。
本発明の膜分離方法においては、該膜分離装置を構成する散気装置からの気体の吐出量が、該膜モジュールの集合体の水平方向断面積あたり１０〜１５０Ｎｍ３／ｍ２／ｈｒである。
また、本発明の膜分離方法においては、該膜モジュールにおける、散気装置からの気体により生起される気液混合流の鉛直方向の平均移動流速が、０．０１〜１．５ｍ／ｓｅｃである。
さらに、本発明の膜分離方法においては、該膜モジュールにおける、散気装置からの気体により生起される気液混合流の水平方向の平均移動流速が、０．０１〜１．５ｍ／ｓｅｃである。
本発明で使用する分離膜は、ポリオレフィン製中空糸膜であることが好ましく、該分離膜が、中空糸を緯糸とする編織物からなり、該中空糸の端部の開口状態を保ちつつ膜固定部材のスリットに液密に固定されてなる中空糸膜であって、このスリットの断面形状がほぼ矩形である中空糸膜であることが好ましい。
【手続補正６】
【補正対象書類名】明細書
【補正対象項目名】００３７
【補正方法】変更
【補正の内容】
【００３７】
【発明の効果】
本発明の膜分離装置、及び膜分離方法によれば、分離膜の表面近傍の気液混合流を乱流とし、洗浄効率を高めることによって、長期間にわたって膜面の目詰まりが少なく、高い流量で固液分離を行うことができる。
【手続補正書】
【提出日】平成17年9月7日(2005.9.7)
【手続補正１】
【補正対象書類名】明細書
【補正対象項目名】発明の名称
【補正方法】変更
【補正の内容】
【発明の名称】膜分離装置及び膜分離方法
【手続補正２】
【補正対象書類名】明細書
【補正対象項目名】特許請求の範囲
【補正方法】変更
【補正の内容】
【特許請求の範囲】
【請求項１】  分離膜の膜面が鉛直方向になるように配設された平型の膜モジュールと、前記分離膜の下方に設けられて気体を散気し、該気体により生起される気液混合流により前記分離膜の膜面洗浄を行うための散気装置と、該散気装置より散気される気体を分離膜の膜面に導くための遮蔽壁とを備えて処理槽内に設置される膜分離装置であって、膜分離装置の上方から見て、前記分離膜が相対した少なくとも一対の遮閉壁の内側に位置するとともに、前記遮閉壁に水を通過させることができる通水孔が設けられている膜分離装置。
【請求項２】  通水孔の総面積が、遮閉壁の総側面積の１〜６０％である、請求項１記載の膜分離装置。
【請求項３】  請求項１または２記載の膜分離装置を用いて、散気装置からの気体の吐出量を膜分離装置の水平方向の断面積あたり１０〜１５０Ｎｍ３／ｍ２／ｈｒとする、膜分離方法。
【請求項４】  請求項１または２記載の膜分離装置を用いて、膜モジュールにおける、散気装置からの気体により生起される気液混合流の水平方向の平均移動流速を０．０１〜１．５ｍ／ｓｅｃとする、膜分離方法。
【手続補正３】
【補正対象書類名】明細書
【補正対象項目名】０００１
【補正方法】変更
【補正の内容】
【０００１】
【発明の属する技術分野】
本発明は、水処理にて、固液分離を行う膜分離装置、及びこれを用いた膜分離方法に関するものである。
【手続補正４】
【補正対象書類名】明細書
【補正対象項目名】０００６
【補正方法】変更
【補正の内容】
【０００６】
【発明が解決しようとする課題】
本発明は、前述した不都合を解決するためになされたものであり、長期にわたる濾過を行っても懸濁物による膜面の閉塞が少ない膜分離装置、及びこれを用いた膜分離方法を提供することを目的とする。
【手続補正５】
【補正対象書類名】明細書
【補正対象項目名】０００７
【補正方法】変更
【補正の内容】
【０００７】
【課題を解決するための手段】
本発明の要旨は、分離膜の膜面が鉛直方向になるように配設された平型の膜モジュールと、前記分離膜の下方に設けられて気体を散気し、該気体により生起される気液混合流により前記分離膜の膜面洗浄を行うための散気装置と、該散気装置より散気される気体を分離膜の膜面に導くための遮蔽壁とを備えて処理槽内に設置される膜分離装置であって、膜分離装置の上方から見て、前記分離膜が相対した少なくとも一対の遮閉壁の内側に位置するとともに、前記遮閉壁に水を通過させることができる通水孔が設けられている膜分離装置にある。
該膜分離装置においては、通水孔の総面積が遮閉壁の総側面積の１〜６０％であることが好ましい。
本発明の膜分離方法においては、該膜分離装置を構成する散気装置からの気体の吐出量が、該膜分離装置の水平方向の断面積あたり１０〜１５０Ｎｍ３／ｍ２／ｈｒである。
また、本発明の膜分離方法においては、該膜モジュールにおける、散気装置からの気体により生起される気液混合流の水平方向の平均移動流速が、０．０１〜１．５ｍ／ｓｅｃである。
本発明で使用する分離膜は、ポリオレフィン製中空糸膜であることが好ましく、該分離膜が中空糸を緯糸とする編織物からなり、該中空糸の端部の開口状態を保ちつつ膜固定部材のスリットに液密に固定されてなる中空糸膜であって、このスリットの断面形状がほぼ矩形である中空糸膜であることが好ましい。
【手続補正６】
【補正対象書類名】明細書
【補正対象項目名】００４５
【補正方法】変更
【補正の内容】
【００４５】
【発明の効果】
本発明の膜分離装置、及び膜分離方法によれば、分離膜の表面近傍の気液混合流を乱流とし、分離膜の膜面の洗浄効率を高めることによって、長期間にわたって膜面の目詰まりが少なく、高い流量で固液分離を行うことができる。
【手続補正書】
【提出日】平成17年7月26日(2005.7.26)
【手続補正１】
【補正対象書類名】明細書
【補正対象項目名】００１９
【補正方法】変更
【補正の内容】
【００１９】
そして、本実施の形態の洗滌用ブラシ１が内視鏡管路ｅに挿入されるとこの洗滌用ブラシ１の柄部２および先端弾性部材７は内視鏡管路ｅの形状に合わせて弾性変形する。すなわち、本実施の形態の洗滌用ブラシ１が図１（Ｄ）に示すように内視鏡管路ｅの吸引口金側管路ｆ２からチャンネルｆ１側に挿通される場合には洗滌用ブラシ１の先端球状部材１０および先端弾性部材７が吸引口金側管路ｆ２からＹ字状の分岐部ｇを経てチャンネルｆ１側に挿通され、ブラシ部３がＹ字状の分岐部ｇに到達した時点で、洗滌用ブラシ１の柄部２および先端弾性部材７は図１（Ｄ）に示すように弾性変形する。
【手続補正２】
【補正対象書類名】明細書
【補正対象項目名】００２２
【補正方法】変更
【補正の内容】
【００２２】
また、本実施の形態の洗滌用ブラシ１が図１（Ｅ）に示すように内視鏡管路ｅの鉗子挿入口ｆ３からチャンネルｆ１側に挿通される場合には洗滌用ブラシ１の先端球状部材１０および先端弾性部材７が鉗子挿入口ｆ３からＹ字状の分岐部ｇを経てチャンネルｆ１側に挿通され、ブラシ部３がＹ字状の分岐部ｇに到達した時点で、洗滌用ブラシ１の柄部２および先端弾性部材７は図１（Ｅ）に示すように弾性変形する。
【手続補正３】
【補正対象書類名】明細書
【補正対象項目名】００７４
【補正方法】変更
【補正の内容】
【００７４】
ここで、図１２（Ｂ）の特性図は、ブラシ部３の先端側から取手４側に向かうに従ってブラシ毛が硬くなる関係に設定されていることを示している。また、図１２（Ｃ）の特性図は、ブラシ部３の先端側から取手４側に向かうに従ってブラシ毛が軟らかくなる関係に設定されていることを示している。さらに、図１２（Ｄ）の特性図は、ブラシ部３の先端側と取手４側の両端位置でブラシ毛が軟らかく、ブラシ部３の中心位置（ａ／２の位置）に向かうに従ってブラシ毛が硬くなる関係に設定されていることを示している。また、図１２（Ｅ）の特性図は、ブラシ部３の先端側と取手４側の両端位置でブラシ毛が硬く、ブラシ部３の中心位置（ａ／２の位置）に向かうに従ってブラシ毛が軟らかくなる関係に設定されていることを示している。なお、ブラシ毛の硬さは、ブラシ毛の材質や、径を変えることにより調節される。
【手続補正４】
【補正対象書類名】明細書
【補正対象項目名】００７７
【補正方法】変更
【補正の内容】
【００７７】
この場合にはブラシ部３を組み立てる際に、ブラシ毛の識別が容易になるので、ブラシ部３を組み立てる際に、ブラシ毛の配列が容易になり、そのブラシ部３の組み立て作業を容易に行うことができる。
【手続補正５】
【補正対象書類名】明細書
【補正対象項目名】０１２７
【補正方法】変更
【補正の内容】
【０１２７】
（付記項２４、２５の従来技術）  付記項２４、２５に対する従来技術には、特開平９−１７３２９０号公報がある。
（付記項２４、２５が解決しようとする課題）  特開平９−１７３２９０号公報の問題点は、管路径が急激に拡大する部分の手前の管路が屈曲している場合、ブラシ部を管路径が急激に拡大する部分に挿通した際に、ブラシ毛が管路内の全周に渡って当たらないということがある。例えば図１７に示す管路では、長さＭの部分の管路径が急激に拡大する構成となっている。さらに、図１８で示すように、吸引口金側管路ｆ２は屈曲している為に、そこから挿入したブラシ部３は、ブラシ部３から先端球状部材までの長さがＭより著しく短いので、洗滌ブラシのブラシ毛は、同図に示すＡ部には当たらない。
【手続補正書】
【提出日】平成17年2月3日(2005.2.3)
【手続補正１】
【補正対象書類名】明細書
【補正対象項目名】００２６
【補正方法】変更
【補正の内容】
【００２６】
この分配ステム(３２)は、分配オリフィス(３３)をガスケット(３４)によって常時は閉鎖されており、定量室(１８)内と分配ノズル(２８)との連通を、このガスケット(３４)によって閉止している。また、このガスケット(３４)は、固定体(２２)の外周に突出した環状筒(３５)の上端に配置し、環状筒(３５)に螺着固定した蓋体(３６)によって上部を被覆固定され、この蓋体(３６)と環状筒(３５)によって分配定量室(２９)を形成している。また、この分配ステム(３２)は下端に閉止栓(３７)を突出し、分配定量室(２９)下端の導出路(２４)と、定量室(１８)とを連通する連通口(３８)の閉鎖が可能となるよう形成している。
【手続補正２】
【補正対象書類名】明細書
【補正対象項目名】符号の説明
【補正方法】変更
【補正の内容】
【符号の説明】
１    エアゾール容器
４    ステム
１１    外筒
１２    溝カム
１５    内筒
１６    外周突起
１８    定量室
１９    本体
２０    ピストン
２２    固定体
２３    押圧発条
２７    分配弁
２８    分配ノズル
【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
複数のプレーヤがゲームプレイするマルチプレーヤ型ゲームのためのゲーム装置であって、
ゲーム音を生成し出力する手段と、
他のゲーム装置が出力するゲーム音との同期をとるためのデータである音同期用データを受信する送受信処理手段と、
受信した前記音同期用データに基づいて、他のゲーム装置が出力するゲーム音に自身のゲーム装置が出力するゲーム音を同期させる処理を行う同期処理手段とを含み、
前記同期処理手段は、
前記ゲーム音が複数の区切りにより複数の区間に区切られている場合において、
他のゲーム装置が区切り付近のゲーム音を出力しており、且つ自身のゲーム装置のプレーヤが他のゲーム装置のゲームに途中参加したと判断された場合に、他のゲーム装置のゲーム音の前記区切りをスタート点として自身のゲーム装置のゲーム音の出力をスタートし、他のゲーム装置のゲーム音との同期処理を行うことを特徴とするゲーム装置。
【請求項２】
請求項１において、
前記ゲーム音が複数の区切りにより複数の区間に区切られている場合において、
前記音同期用データが、他のゲーム装置が出力しているゲーム音の区間を特定するための区間特定データを含み、
前記同期処理手段は、
前記区間特定データに基づいて同期処理を行うことを特徴とするゲーム装置。
【請求項３】
請求項２において、
前記音同期用データが、前記区間特定データで特定される区間の次の区間の区切りまでの時間を特定するための時間特定データを含み、
前記同期処理手段は、
前記時間特定データに基づいて同期処理を行うことを特徴とするゲーム装置。
【請求項４】
請求項１乃至３のいずれかにおいて、
前記区間が、ゲーム音を区切る小節であることを特徴とするゲーム装置。
【請求項５】
複数のプレーヤがゲームプレイするマルチプレーヤ型ゲームのための、コンピュータ読み取り可能な情報記憶媒体であって、
ゲーム音を生成し出力する手段と、
他のゲーム装置が出力するゲーム音との同期をとるためのデータである音同期用データを受信する送受信処理手段と、
受信した前記音同期用データに基づいて、他のゲーム装置が出力するゲーム音に自身のゲーム装置が出力するゲーム音を同期させる処理を行う同期処理手段として、
コンピュータを機能させるプログラムを記憶し、
前記同期処理手段は、
前記ゲーム音が複数の区切りにより複数の区間に区切られている場合において、
他のゲーム装置が区切り付近のゲーム音を出力しており、且つ自身のゲーム装置のプレーヤが前記他のゲーム装置のゲームに途中参加したと判断された場合に、他のゲーム装置のゲーム音の前記区切りをスタート点として自身のゲーム装置のゲーム音の出力をスタートし、他のゲーム装置のゲーム音との同期処理を行うことを特徴とする情報記憶媒体。
【請求項６】
請求項５において、
前記ゲーム音が複数の区切りにより複数の区間に区切られている場合において、
前記音同期用データが、他のゲーム装置が出力しているゲーム音の区間を特定するための区間特定データを含み、
前記同期処理手段は、
前記区間特定データに基づいて同期処理を行うことを特徴とする情報記憶媒体。
【請求項７】
請求項６において、
前記音同期用データが、前記区間特定データで特定される区間の次の区間の区切りまでの時間を特定するための時間特定データを含み、
前記同期処理手段は、
前記時間特定データに基づいて同期処理を行うことを特徴とする情報記憶媒体。
【請求項８】
請求項５乃至７のいずれかにおいて、
前記区間が、ゲーム音を区切る小節であることを特徴とする情報記憶媒体。
【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】
仮想三次元空間内で投手が投げたボールを打者が打撃する野球ゲームのプログラムを実行し、仮想視点を注視点が投手の位置にくるように仮想三次元空間に配置し、前記投手が投げた前記ボールが前記打者に近づく様子が前記仮想視点から捉えられ、前記仮想視点から見える前記仮想三次元空間の様子を表した二次元画像を生成して画面に表示する制御を行う手段により実行されるゲーム画像表示方法であって、
前記投手が投げた前記ボールが前記仮想視点の方向に近づくまでの距離を求め、
前記ボールが前記打者に近づくにつれて、前記投手が投げた前記ボールの周囲に表示されるカーソルを変化させた二次元画像を生成して画面に表示することを特徴とするゲーム画像表示方法。
【請求項２】
仮想三次元空間内で投手が投げたボールを打者が打撃する野球ゲームのプログラムを実行し、仮想視点を注視点が投手の位置にくるように仮想三次元空間に配置し、前記投手が投げた前記ボールが前記打者に近づく様子が前記仮想視点から捉えられ、前記仮想視点から見える前記仮想三次元空間の様子を表した二次元画像を生成して画面に表示する制御を行う手段により実行されるゲーム画像表示方法であって、
前記投手が投げた前記ボールが前記仮想視点の方向に近づくまでの距離を求め、
前記ボールが前記打者に近づくにつれて、前記投手が投げた前記ボールの周囲に表示されるカーソルを大きく又は小さくさせた二次元画像を生成して画面に表示することを特徴とするゲーム画像表示方法。
【請求項３】
仮想三次元空間内で投手が投げたボールを打者が打撃する野球ゲームのプログラムを実行し、仮想視点を注視点が投手の位置にくるように仮想三次元空間に配置し、前記投手が投げた前記ボールが前記打者に近づく様子が前記仮想視点から捉えられ、前記仮想視点から見える前記仮想三次元空間の様子を表した二次元画像を生成して画面に表示する制御を行う手段により実行されるゲーム画像表示方法であって、
前記投手が投げた前記ボールが前記仮想視点の方向に近づくまでの距離を求め、
前記ボールが前記打者に近づくにつれて、前記投手が投げた前記ボールの周囲に表示されるカーソルの色を変化させた二次元画像を生成して画面に表示することを特徴とするゲーム画像表示方法。
【請求項４】
仮想三次元空間内で投手が投げたボールを打者が打撃する野球ゲームのプログラムを実行し、仮想視点を注視点が投手の位置にくるように仮想三次元空間に配置し、前記投手が投げた前記ボールが前記打者に近づく様子が前記仮想視点から捉えられ、前記仮想視点から見える前記仮想三次元空間の様子を表した二次元画像を生成して画面に表示する制御を行う手段により実行されるゲーム画像表示方法であって、
前記投手が投げた前記ボールが前記仮想視点の方向に近づくまでの距離を求め、
前記ボールが前記打者に近づくにつれて、前記投手が投げた前記ボールの周囲に表示されるカーソルを大きく又は小さくさせると共に、前記カーソルの色を変化させた二次元画像を生成して画面に表示することを特徴とするゲーム画像表示方法。
【手続補正書】
【提出日】平成17年3月14日(2005.3.14)
【手続補正１】
【補正対象書類名】明細書
【補正対象項目名】００１９
【補正方法】変更
【補正の内容】
【００１９】
コントローラ３０から主変速「３−４速」バルブ６２の４速ソレノイドに信号が送られると、主変速用第１油圧シリンダ６０の伸長により、前記４速ギヤ組５６を介して動力が伝達されて「４速」となり、主変速「３−４速」バルブ６２の３速ソレノイドに信号が送られると、該主変速用第１油圧シリンダ６０の収縮により、前記３速ギヤ組５７を介して動力が伝達されて「３速」となる。また、コントローラ３０から主変速「１−２速」バルブ６３の２速ソレノイドに信号が送られると、主変速用第２油圧シリンダ６１の伸長により、前記２速ギヤ組５８を介して動力が伝達されて「２速」となり、主変速「１−２速」バルブ６３の１速ソレノイドに信号が送られると、該主変速用第２油圧シリンダ６１の収縮により、前記１速ギヤ組５９を介して動力が伝達されて「１速」となる。このように、前記主変速装置４３は「１速」から「４速」までの４段の変速位置を有している。この第２変速装置で変速された回転動力は第３変速装置である副変速装置４４へ伝達される。
【手続補正２】
【補正対象書類名】明細書
【補正対象項目名】００２３
【補正方法】変更
【補正の内容】
【００２３】
斯くして、前記Ｈｉ−Ｌｏ変速装置４１と主変速装置４３とを連携して、８段の変速パターンが得られ、更に、副変速装置４４による変速パターン３段を組み合わせて、２４段の変速パターンを得ることができる。そして、前述した変速レバー１８のグリップ部３３に設けたアップスイッチ３４若しくはダウンスイッチ３５の操作により、コントローラ３０からＨｉ−Ｌｏクラッチバルブ４８と主変速「３−４速」バルブ６２及び主変速「１−２速」バルブ６３の各ソレノイドに制御信号が出力され、Ｈｉ−Ｌｏクラッチ４７と及び主変速用第１油圧シリンダ６０及び主変速用第２油圧シリンダ６１が作動して、Ｈｉ−Ｌｏ変速装置４１と主変速装置４３とを連携して組み合わせた変速パターンを現位置からアップ若しくはダウンさせることができる。そして、コントローラ３０は前記各スイッチやセンサの検出信号に基づいて現在の変速位置を判別し、前記メータパネル２７に設けられたシフト位置のインジケータ８２に現変速位置を表示する。
【手続補正３】
【補正対象書類名】図面
【補正対象項目名】図６
【補正方法】変更
【補正の内容】
【図６】
2002264678.tif 000001
【手続補正書】
【提出日】平成17年9月12日(2005.9.12)
【手続補正１】
【補正対象書類名】明細書
【補正対象項目名】０００２
【補正方法】変更
【補正の内容】
【０００２】
【従来の技術】
例えば、このようなロボットとしては水平多関節形ロボットがある。図２および図３に従来の水平多関節形ロボットの一例を示す。水平多関節形ロボット１１は、胴体１２と、前記胴体１２の上部に鉛直方向に突出した回動軸１３と、前記回動軸１３に連結され、水平方向に回動する第１アーム１４と、前記第１アーム１４の先端部に、同様に回動可能に連結された第２アーム１５とからなり、前記第２アーム１５の先端部に、図示しないウェハ搬送用フォークや加工具等を配設して構成される。しかしながら、このような水平多関節形ロボット１１においては、第１アーム１４の取り付け部に常にモーメントがかっていること、および部品誤差あるいは経年変化により軸受等に発生したガタのため、第２アーム等が水平面に対して傾くという問題がある。このため、従来は、図３に示すように、回動軸１５と第１アーム１４との取り付け部において、アーム筐体１４ａと、前記アーム筐体１４ａと連結する回動軸１３との間に、傾きに対応するシム１６を敷いて水平多関節形ロボットのアームの水平面に対する傾きを矯正していた。なお、図３において１７は締結ボルトである。
【手続補正２】
【補正対象書類名】明細書
【補正対象項目名】０００３
【補正方法】変更
【補正の内容】
【０００３】
【発明が解決しようとする課題】
しかしながら、このような従来の技術においては、第１アーム１４と回動軸１３との間にシム１６を敷くために、次のような問題があった。
(1) 一度組み立てた機構部を分解する必要があり、作業が大変面倒である。
(2) 第１アーム１４と回動軸１３との間の面当たりが悪くなるとともに、締結ボルト１７も斜めに入って無理な力が加わるため信頼性が低くなる。
(3) 第１アーム１４のアーム筐体１４ａに無理な力が作用して歪むため、部品精度が悪くなる。
本発明は、このような問題を解消するためになされたもので、水平方向に回動するアームの上下方向の傾きの調節作業が容易で、かつ信頼性や部品精度の低下を招くことのないロボットを提供することを目的とするものである。
【手続補正３】
【補正対象書類名】明細書
【補正対象項目名】０００５
【補正方法】変更
【補正の内容】
【０００５】
【発明の実施の形態】
以下、本発明の実施例を図に基づいて説明する。図１（ａ）は、本発明の実施例を示す水平多関節形ロボットの側面図で、（ｂ）は、（ａ）における第１アームと回動軸との取り付け部を示す部分断面図である。本発明の水平多関節形ロボット１も、従来の水平多関節形ロボットと同様に、胴体２と、前記胴体２の上部に鉛直方向に突出した回動軸３と、前記回動軸３に連結され、水平方向に回動する第１アーム４と、前記第１アーム４の先端部に、同様に回動可能に連結された第２アーム５とからなり、前記第２アームの先端部に、図示しないウェハ搬送用フォークや加工具等を配設して構成されるが、第１アーム４のアーム筐体４ａと回動軸３との連結構造が従来とは異なっている。
すなわち、図１（ｂ）に示すように、回動軸３と第１アーム４のアーム筐体４ａは、両者の間にＬ字状の傾き調整装置６を介在させて連結し、第１アーム４の上下方向の傾きを調整できるようにしている。前記傾き調整装置６は、回動軸３と連結される、または回動軸３と一体的に構成される水平部６ｂと、前記第１アーム４と連結される鉛直部６ａとから構成されており、鉛直部６ａの中央部分にピン穴６ｃを形成するとともに、前記ピン穴６ｃの周囲に図示しないボルト穴を複数個形成している。前記ボルト穴は、第１アーム４の傾きを吸収できる程度の大きさのバカ穴で形成されている。また、前記第１アーム４は、前記傾き調整装置６と連結するアーム筐体４ａの側面部に、傾き調整装置６のピン穴６ｃと対応するピン４ｂを形成している。第１アーム４と傾き調整装置６は、前記ピン４ｂをピン穴６ｃに嵌合し、締結ボルト７を締め付けていない状態において、第１アーム４をＨで示す鉛直面上で回転自在に調整することができる構造となっている。
したがって、ロボットの初期組立時、更には長期間使用後の経年変化でアームの傾きが変化した場合にも、機構部を分解することなく、外部から締結ボルト７を緩めるだけで、容易に、かつ確実にアームの傾きを調整してロボットに要求される傾き許容値にすることができる。
なお、本発明においては、胴体内にアームの昇降装置を有しているロボットにおいても適用することができるし、リンク式のロボットにおいても適用することができる。また、傾き調整装置は第１アームのみでなく、第２アーム等にも使用することができる。
【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
圧電体を含む部材にチャネルを形成し、前記圧電体に設けられた電極に電圧を印加して、前記圧電体を駆動することにより、前記チャネルからインクを噴射するインクジェットプリントヘッドを製造する方法であり、
複数のチャネル用の溝を有するチャネルプレートの少なくとも一側面と底面を、触媒を吸着させてメッキ処理して所望の膜厚より薄いメッキ薄膜を形成した後、前記メッキ薄膜の一部をレーザー光で除去し、その後、再びメッキ処理することにより、前記レーザー光で除去されなかったメッキ薄膜上にさらなるメッキ膜を形成し、これにより前記所望の膜厚の電極を形成することを特徴とするインクジェットプリントヘッドの製造方法。
【請求項２】
圧電体を含む部材にチャネルを形成し、前記圧電体に設けられた電極に電圧を印加して、前記圧電体を駆動することにより、前記チャネルからインクを噴射するインクジェットプリントヘッドの製造方法であり、
複数のチャネル用の溝を有するチャネルプレートに触媒を吸着させた後、前記触媒の一部をレーザー光で除去し、その後、前記チャネルプレートの少なくとも一側面と底面をメッキ処理することにより、前記レーザー光により除去されなかった触媒上に、前記電極としてのメッキ層を形成することを特徴とするインクジェットプリントヘッドの製造方法。
【請求項３】
圧電体を含む部材でチャネルを形成し、前記圧電体に設けられた電極に電圧を印加して、前記圧電体を駆動することにより、前記チャネルからインクを噴射するインクジェットプリントヘッドを製造する方法であり、
複数のチャネル用の溝を有するチャネルプレートと、カバープレートとを接着してヘッドチップを形成した後、前記ヘッドチップに形成された筒状の複数のチャンネルの内壁と前記ヘッドチップにおける所定の外周面とに触媒を吸着させて前記電極としてのメッキ層を形成し、その後、前記外周面に形成されたメッキ層の一部をレーザー光で除去することにより、前記複数のチャンネルに対応した電極を前記ヘッドチップの外周面に形成することを特徴とするインクジェットプリントヘッドの製造方法。
【請求項４】
前記電極として形成されたメッキ層は、所望の電極膜厚よりも薄いメッキ膜厚であり、前記外周面に形成されたメッキ薄膜の一部をレーザー光で除去した後、再度、前記複数のチャンネルの内壁と前記所定の外周面とにメッキ処理することにより、前記レーザー光で除去されなかったメッキ薄膜上に、さらなるメッキ膜を形成し、これにより、前記電極として所望の膜厚のメッキ層を形成することを特徴とする請求項３に記載のインクジェットプリントヘッドの製造方法。
【請求項５】
圧電体を含む部材でチャネルを形成し、前記圧電体に設けられた電極に電圧を印加して、前記圧電体を駆動することにより、前記チャネルからインクを噴射するインクジェットプリントヘッドを製造する方法であり、
複数のチャネル用の溝を有するチャネルプレートとカバープレートとを接着してヘッドチップを形成し、前記ヘッドチップに触媒を吸着させた後、レーザー光で前記ヘッドチップの外周面の一部の触媒を除去し、その後、前記複数のチヤンネルの内壁と前記所定の外周面とをメッキ処理することにより、前記レーザー光により除去されなかった触媒上に、前記電極としてのメッキ層を形成することを特徴とするインクジェットプリントヘッドの製造方法。
【請求項６】
前記電極が、ニッケルまたは銅であることを特徴とする請求項１乃至請求項５のいずれか１項に記載のインクジェットプリントヘッドの製造方法。
【手続補正２】
【補正対象書類名】明細書
【補正対象項目名】０００１
【補正方法】変更
【補正の内容】
【０００１】
【発明の属する技術分野】
この発明は、ピエゾ素子を使用する、高画質、高速、高密度シェヤーモードインクジェットプリントヘッドの製造方法に関するものである。シェヤーモードインクジェットプリントヘッドは、分極した圧電基板に、インクチャンネルを研削して、その溝の側壁に電極を形成し、この電極に電界を掛けると、溝の側壁が、くの字型に剪断変形して、溝の中のインクに圧力を掛けてインク滴を吐出する。このインクジェットプリントヘッドには、溝内に電極を、そして、溝の外に、この電極に信号を送る接続電極が必要になる。この発明は、従来の感光性レジストを使用しないで、メッキとレーザーを使用して、電極と接続電極を形成する新しいインクジェットプリントヘッドの製造方法である。
【手続補正３】
【補正対象書類名】明細書
【補正対象項目名】００２４
【補正方法】変更
【補正の内容】
【００２４】
請求項２に記載の発明は、圧電体を含む部材にチャネルを形成し、前記圧電体に設けられた電極に電圧を印加して、前記圧電体を駆動することにより、前記チャネルからインクを噴射するインクジェットプリントヘッドの製造方法であり、  複数のチャネル用の溝を有するチャネルプレートに触媒を吸着させた後、前記触媒の一部をレーザー光で除去し、その後、前記チャネルプレートの少なくとも一側面と底面をメッキ処理することにより、前記レーザー光により除去されなかった触媒上に、前記電極としてのメッキ層を形成することを特徴とするインクジェットプリントヘッドの製造方法である。
【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
複数のエネルギー賦与可能な加熱用要素Ｈn（２９）を組み入れた感熱ヘッドＴＨ（２０）とサーモグラフイ用材料ｍ（５）とを有する感熱式プリンター（１０）を備える感熱式プリント用システムを使用して画像をプリントするための方法に於いて、前記方法が
複数の出力値Ｄｋに対応する画像データＩｄ（１６）を前記感熱式プリンターの処理ユニット（１８）に供給する過程と、
望ましい出力値Ｄｋ用の第１エントリーと賦活パルスの時間スライスＳｉのシーケンスＳｋ用の第２エントリーとを含む第１テーブルＬＵＴ１を読み出す過程と、
前記画像データＩｄの賦活パルスの時間スライスの対応するシーケンスＳｋへの変換の過程と、
賦活パルスの前記時間スライスを前記感熱ヘッドＴＨの前記加熱用要素Ｈnへ提供する過程と、
前記サーモグラフイ用材料を前記感熱ヘッドを過ぎるようそしてそれに隣接するよう輸送すること（８）と前記感熱ヘッドの前記加熱用要素Ｈnを賦活すること（３０）とにより前記画像をプリントする過程とを具備しており、
賦活パルスの時間スライスＳｉの利用可能なシーケンスＳｋのための画素出力Ｄｋｃｍを計算し、感熱ヘッドに加えられたとき、計算した画素出力を基礎に、連続でかつ単調な画素出力を与えるシーケンスの組みを作ることによって、前記画像データＩｄの前記変換は連続でかつ単調な出力値Ｄｋｃｍと賦活パルスの時間スライスｓｉの対応するシーケンスＳｋとの間の関係を確立する過程を備えることを特徴とする複数のエネルギー賦与可能な加熱用要素Ｈn（２９）を組み入れた感熱ヘッドＴＨ（２０）とサーモグラフイ用材料ｍ（５）とを有する感熱式プリンター（１０）を備える感熱式プリント用システムを使用して画像をプリントするための方法。